(57)【要約】【課題】収容する情報受信端末に所望情報をできるだけ多く通知できるようにする【解決手段】第１の本発明の異種網回線通信装置は、第１の通信網回線から到来した情報を検出する情報検出手段と、情報受信端末の通信状態を判定する通信状態判定手段と、到来情報の中から抽出する情報内容を示す種別情報を記憶する種別情報記憶手段と、情報検出手段による情報の検出時の通信状態判定手段による判定結果に応じて、所定情報量の情報を情報受信端末に与える情報通知手段とを備え、通信状態判定手段が情報受信端末と第２の通信網回線との間で通信中であると判定した場合、情報通知手段が、到来した情報から、種別情報記憶手段の種別情報に対応する情報内容の情報を抽出して情報受信端末に与えることを特徴とする。【選択図】      図１
2005303760.tif 000002
【特許請求の範囲】
【請求項１】
収容する情報受信端末と、第１の通信網回線又は第２の通信網回線との間の通信制御を行なう異種網回線通信装置において、
上記第１の通信網回線から到来した情報を検出する情報検出手段と、
上記情報受信端末の通信状態を判定する通信状態判定手段と、
到来した上記情報の中から抽出する情報内容を示す種別情報を記憶する種別情報記憶手段と、
上記情報検出手段による上記情報の検出時における上記通信状態判定手段による判定結果に応じて所定の接続制御を行ない、所定情報量の上記情報を上記情報受信端末に与える情報通知手段と
を備え、
上記通信状態判定手段が上記情報受信端末と上記第２の通信網回線との間で通信中であると判定した場合、上記情報通知手段が、到来した上記情報から、上記種別情報記憶手段の上記種別情報に対応する情報内容の情報を抽出して、上記情報受信端末に与えることを特徴とする異種網回線通信装置。
【請求項２】
上記情報通知手段が、上記抽出した情報の情報量が所定情報量に達するまで上記種別情報に基づいて上記情報から抽出し、上記抽出した情報の情報量が上記所定情報量を達した場合に、上記抽出した情報を上記所定情報量で上記情報受信端末に与えることを特徴とする請求項１に記載の異種網回線通信装置。
【請求項３】
上記種別情報が、到来した上記情報の中から抽出する優先順位を有する複数個の情報であることを特徴とする請求項１又は２に記載の異種網回線通信装置。
【請求項４】
上記第１の通信網回線から到来した上記情報に含まれる発信元電話番号と発信者名情報とを対応付けて記憶する発信元情報記憶手段と、
上記情報受信端末から受け取った発信者名情報に対応する上記発信元電話番号に対して呼制御を行う呼制御手段と
を備えることを特徴とする請求項１〜３のいずれかに記載の異種網回線通信装置。
【請求項５】
収容する情報受信端末と、第１の通信網回線又は第２の通信網回線との間の通信制御を行なう異種網回線通信装置に、
上記第１の通信網回線から到来した情報を検出する情報検出機能と、
上記情報受信端末の通信状態を判定する通信状態判定機能と、
到来した上記情報の中から抽出する情報内容を示す種別情報を記憶する種別情報記憶機能と、
上記情報検出機能による上記情報の検出時における上記通信状態判定機能による判定結果に応じて所定の接続制御を行ない、所定情報量の上記情報を上記情報受信端末に与える情報通知機能と
を実現させ、
上記通信状態判定機能が上記情報受信端末と上記第２の通信網回線との間で通信中であると判定した場合、上記情報通知機能が、到来した上記情報から、上記種別情報記憶機能の上記種別情報に対応する情報内容の情報を抽出して、上記情報受信端末に与えることを実現させるための情報通知プログラムを記録した上記異種網回線通信装置に読み取り可能な記録媒体。
【請求項６】
上記情報通知機能が、上記抽出した情報の情報量が所定情報量に達するまで上記種別情報に基づいて上記情報から抽出し、上記抽出した情報の情報量が上記所定情報量を達した場合に、上記抽出した情報を上記所定情報量で上記情報受信端末に与えることを実現させるための情報通知プログラムを記憶した上記異種網回線通信装置により読み取り可能な請求項５に記載の記録媒体。
【請求項７】
上記種別情報が、到来した上記情報の中から抽出する優先順位を有する複数個の情報であることを特徴とする情報通知プログラムを記憶した上記異種網回線通信装置により読み取り可能な請求項５又は６に記載の記録媒体。
【発明の詳細な説明】
【技術分野】
【０００１】
本発明は、異種網回線通信装置及び記録媒体に関し、例えば、異なる通信回線に接続可能であり、電話機を収容する通信装置及び通信装置により読み取り可能な記録媒体に適用し得る。
【背景技術】
【０００２】
昨今、例えばＩＰ（Ｉｎｔｅｒｎｅｔ  Ｐｒｏｔｏｃｏｌ）通信網を用いたテレフォニーシステムとして、ＶｏＩＰ（Ｖｏｉｃｅ  Ｏｖｅｒ  ＩＰ）通信が注目されている。
【０００３】
このＶｏＩＰ通信は、従来の一般公衆電話網（以下、ＰＳＴＮ）を用いた音声通話、ＦＡＸ通信、モデム通信等をしていた情報をパケット化し、ＩＰ通信網を用いて中継することで、通信システムの統合を図ることが可能となる。
【０００４】
ＶｏＩＰ対応可能な通信装置を導入するにあたって、従来の電話システムで運用されているサービスの移行をスムーズにする必要がある。例えば、従来の電話システムにおいて、利用者がナンバーディスプレイサービスやキャッチホン・ディスプレイサービス等の各種サービスをＰＳＴＮ側と契約している場合、ＶｏＩＰ対応可能な通信装置導入後も導入前と同様に、各種サービスを利用できることが望まれている。
【０００５】
非特許文献１には、ＰＳＴＮ側が提供するキャッチホン・ディスプレイサービス及びナンバーディスプレイサービスの動作シーケンスが記載されている。
【０００６】
ここで、キャッチホン・ディスプレイサービスは、第一者と第二者との間で通話状態のときに第三者からの新たな着信が発生した場合に通話状態の第一者に第三者の発信者情報（発信元電話番号、発信者名等）を表示するサービスである。
【０００７】
また、ナンバーディスプレイサービスは、契約者回線に着信があった場合、交換機が、呼出信号送出前にナンバーディスプレイ情報（発信元電話番号、発信者名、契約情報、契約情報の概要等）を契約者の電話機に表示させるサービスである。
【０００８】
従来、ＩＰ通信網回線及びＰＳＴＮ回線に接続可能であり、これら通信網回線と収容する電話機との間の通信制御をする通信アダプタ装置は、スイッチ部を搭載しており、このスイッチを切り替えることで、電話機と、ＩＰ通信網回線又はＰＳＴＮ回線との間の通信接続を実現している。
【０００９】
従って、利用者がナンバーディスプレイサービス等の各種サービスを契約している電話機を通信アダプタ装置が収容する場合、ＰＳＴＮ回線から各種情報が到来すると、通信アダプタ装置は、所定のナンバーディスプレイ着信処理を行なうことで、到来した各種情報を電話機に与えている。
【００１０】
しかし、収容する電話機がＩＰ通話中に、ＰＳＴＮ回線から情報が到来した場合、通信アダプタ装置は、電話機が通話状態であると判断して、所定のキャッチホン・ディスプレイ着信処理を施して、到来した各種情報を電話機に与えている。これは、従来の電話システムは、電話機とＰＳＴＮ回線とが１対１で接続されていたために、ＰＳＴＮ回線が空き状態であれば電話機も空きであり、ナンバーディスプレイのシーケンスが意味を成す。また、ＰＳＴＮが使用中であれば、電話機も使用中であり、キャッチホンナンバーディスプレイのシーケンスが意味をなす。
【非特許文献１】日本電信電話株式会社，“技術参考資料  電話サービスのインタフェース、第５版”，[Ｏｎ  ｌｉｎｅ]，１９９７年８月，[２００３年１２月２６日検索]，インターネット，＜ＵＲＬ：ｈｔｔｐ：／／ｗｗｗ.ｎｔｔ−ｅａｓｔ．ｃｏ．ｊｐ／ｇｉｓａｎｓｈｉ／ａｎａｌｏｇ／ｅｄｉｔ５ｊ，ｐｄｆ＞
【発明の開示】
【発明が解決しようとする課題】
【００１１】
しかしながら、上述した通信アダプタ装置は、ＰＳＴＮ回線から各種情報の着信を受けたとしても、その情報のすべてを電話機に与えることができず、情報欠落を起こしてしまう場合があった。
【００１２】
それは、ＰＳＴＮ回線との間で一度終端し、また電話機との間も一度終端する。従い、それぞれにおいて空き状態と使用中といった状態不一致が発生するからである。
【００１３】
上述したように、従来の通信アダプタ装置は、電話機がＩＰ通話中にＰＳＴＮ回線から各種情報の到来があった場合、キャッチホン・ディスプレイ着信処理を行ない、電話機に対して情報を与えている。
【００１４】
しかし、この場合、通信アダプタ装置が行うキャッチホン・ディスプレイ着信処理は、ナンバーディスプレイ着信処理に比べて、電話機に通知できる情報のデータサイズが小さく制限されている。
【００１５】
つまり、ナンバーディスプレイ着信処理の場合、通信アダプタ装置は最大１２８バイトのデータサイズの情報を通知することができるが、キャッチホン・ディスプレイ着信処理の場合、通信アダプタ装置は最大６４バイトのデータサイズの情報しか通知することができない。
【００１６】
従って、この場合、通信アダプタ装置は、ナンバーディスプレイサービスとして到来した各種情報（最大１２８バイトのサイズ）を、最大６４バイトのデータサイズの情報に変換して、電話機に通知している。
【００１７】
しかも、そのデータサイズの形式変換は、到来した各種情報に対して最初の情報から６４バイト分の情報を取り出して、その情報を電話機に通知している。
【００１８】
したがって、利用者は、ナンバーディスプレイサービスにより本来取得し得る情報に対して欠落した情報しか取得できず、また、利用者が希望する情報を取得することができなかった。
【００１９】
そのため、異なる通信網回線に接続可能であり、電話機（情報受信端末）を収容する異種網回線通信装置であって、通話中の電話機に他の通信網回線から発信者情報の着信があった場合、利用者が望む情報できるだけ多く通知することができる異種網回線通信装置及び異種網回線通信装置により読み取り可能な記録媒体が求められている。
【課題を解決するための手段】
【００２０】
かかる課題を解決するために、第１の本発明の異種網回線通信装置は、収容する情報受信端末と、第１の通信網回線又は第２の通信網回線との間の通信制御を行なう異種網回線通信装置において、第１の通信網回線から到来した情報を検出する情報検出手段と、情報受信端末の通信状態を判定する通信状態判定手段と、到来した情報の中から抽出する情報内容を示す種別情報を記憶する種別情報記憶手段と、情報検出手段による情報の検出時における通信状態判定手段による判定結果に応じて所定の接続制御を行ない、所定情報量の情報を情報受信端末に与える情報通知手段とを備え、通信状態判定手段が情報受信端末と第２の通信網回線との間で通信中であると判定した場合、情報通知手段が、到来した情報から、種別情報記憶手段の種別情報に対応する情報内容の情報を抽出して、情報受信端末に与えることを特徴とする。
【００２１】
第２の本発明の記録媒体は、収容する情報受信端末と、第１の通信網回線又は第２の通信網回線との間の通信制御を行なう異種網回線通信装置に、第１の通信網回線から到来した情報を検出する情報検出機能と、情報受信端末の通信状態を判定する通信状態判定機能と、到来した情報の中から抽出する情報内容を示す種別情報を記憶する種別情報記憶機能と、情報検出機能による情報の検出時における通信状態判定機能による判定結果に応じて所定の接続制御を行ない、所定情報量の情報を情報受信端末に与える情報通知機能とを実現させ、通信状態判定機能が情報受信端末と第２の通信網回線との間で通信中であると判定した場合、情報通知機能が、到来した情報から種別情報記憶機能の種別情報に対応する情報内容の情報を抽出して、情報受信端末に与えることを実現させるための情報通知プログラムを記録した異種網回線通信装置に読み取り可能な記録媒体。
【発明の効果】
【００２２】
本発明は、収容する情報受信端末と第２の通信網回線との間で通信中に、第１の通信網回線から情報が到来した場合、その情報のうち所定情報を利用者が欲する項目をより多く優先的に抽出して情報受信端末に与えることができる。
【発明を実施するための最良の形態】
【００２３】
以下、本発明の異種網回線通信装置及び記録媒体を実施するための最良の形態について説明する。
【００２４】
（Ａ）実施形態
以下、本発明の異種網回線通信装置及び記録媒体の実施形態について図面を参照しながら説明する。
【００２５】
本実施形態では、本発明の異種網回線通信装置を、一般公衆電話網（ＰＳＴＮ）回線及びＩＰ通信網回線に接続可能であって、電話機を収容する通信アダプタ装置に適用した場合について説明する。
【００２６】
また、本実施形態は、利用者が、一般公衆電話網（ＰＳＴＮ）回線側と契約し、ナンバーディスプレイサービスの提供を受ける場合の適用について説明する。
【００２７】
（Ａ−１）実施形態の構成
図１は、本実施形態に係る通信アダプタ装置の主要な内部構成を示すハードウェア・ブロック図である。
【００２８】
図１において、通信アダプタ装置１は、ＩＰ通信網回線３とＰＳＴＮ回線４とに接続可能であり、電話機２を収容する。電話機２は、契約した情報を表示することができる情報受信端末である。また、ＩＰ通信網回線３は、例えば、インターネットに代表されるＩＰを使用した通信網（例えば、専用網、公衆網、移動通信網又はこれらを結合した網等）である。
【００２９】
また、図１に示すように、通信アダプタ装置１は、データバス１９を介して、制御部１１、メモリ１２、フラッシュメモリ１３、スイッチ部１４、電話機インタフェース部１５、ＩＰ回線インタフェース部１６、ＰＳＴＮ回線インタフェース部１８、ＤＳＰ（ディジタルシグナルプロセッサ）１７を備える。
【００３０】
制御部１１は、通信アダプタ装置１の機能を制御する制御部である。例えば、制御部１１は、ＣＰＵが該当し、メモリ１２に格納されているプログラムを読み出し実行することにより通信アダプタ装置１の機能を実現するものである。
【００３１】
また、制御部１１は、呼制御機能、スイッチ切替制御機能、電話機２の通話状態判定機能、ナンバーディスプレイ着信制御機能又はキャッチホン・ディスプレイ着信制御機能、電話機２がＩＰ通話中に発信者情報の着信があった場合に、到来した発信者情報から所定の情報種別を抽出する情報抽出機能、電話機２に通知する発信者情報の測定機能などを有する。
【００３２】
メモリ１２は、制御部１１が実行するプログラムを格納する記憶手段である。また、フラッシュメモリ１３は、データを保存する記憶手段である。
【００３３】
スイッチ部１４は、制御部１１の制御により、電話機２と、ＩＰ通信網回線３又はＰＳＴＮ回線４との間の接続を切り替えるものであり、スイッチを切り替えることにより、電話機２と通信網回線３又は４との間の通話を実現するものである。
【００３４】
電話機インタフェース部１５は、電話機２とのインタフェース部である。
【００３５】
ＩＰ回線インタフェース部１６は、ＩＰ通信網回線とのインタフェース部である。
【００３６】
ＰＳＴＮ回線インタフェース部１８は、ＰＳＴＮ回線４とのインタフェース部であり、定期的に又は常時ＰＳＴＮ回線４の状態を監視している。また、ＰＳＴＮ回線インタフェース部１８は、ＰＳＴＮ回線４から着信（極性反転、発信者情報、呼出信号）を検出し、検出した発信者情報をＤＰＳ１７に与えるものである。また、ＰＳＴＮ回線インタフェース部１８は、制御部１１の制御により、ＰＳＴＮ回線４側と所定の通信接続制御を行なうものである。
【００３７】
ＤＰＳ１７は、ＰＳＴＮ回線インタフェース部１８から発信者情報を受け取り、その受信した発信者情報を電話機２に通知する処理を制御するものである。
【００３８】
また、図２は、本実施形態の通信アダプタ装置１の主要な機能を説明するための機能ブロック図である。
【００３９】
図２に示すように、本実施形態の通信アダプタ装置１は、情報種別決定部１１ａ、発信者情報受信処理部１７ａ、発信者情報送信処理部１７ｂを少なくとも備える。
【００４０】
発信者情報受信処理部１７ａは、ＰＳＴＮ回線インタフェース部１８を定期的に又は常時監視し、ＰＳＴＮ回線４から発信者情報の受信の有無を確認し、発信者情報の到来を確認した場合に、到来した発信者情報を取得し、取得した発信者情報を、発信者情報蓄積メモリ１２ｂに与えて蓄積させるものである。
【００４１】
また、発信者情報受信処理部１７ａは、発信者情報蓄積メモリ１２ｂへの蓄積を行うと、情報種別決定部１１ａに対して電話機２に通知する情報種別の決定処理を開始させる起動信号を与えるものである。
【００４２】
情報種別決定部１１ａは、発信者情報受信処理部１７ａから起動信号を受け取ると、電話機２がＩＰ通話中であるか否かを判定するものである。また、情報種別決定部１１ａは、電話機２がＩＰ通話中であるか否かの判定結果に応じて、ナンバーディスプレイ着信処理又はキャッチホン・ディスプレイ着信処理を制御するものである。
【００４３】
つまり、情報種別決定部１１ａは、電話機２がＩＰ通話中でないと判定した場合、ナンバーディスプレイ着信処理を行ない、発信者情報蓄積メモリ１２ｂから蓄積されている発信者情報を読み出し、その読み出した発信者情報をそのまま発信者情報送信処理部１７ｂに与えるものである。これにより、到来した発信者情報（１２８バイト）を電話機２に通知することができる。
【００４４】
また、情報種別決定部１１ａは、電話機２がＩＰ通話中であると判定した場合、キャッチホン・ディスプレイ着信処理を行なう。このとき、情報種別決定部１１ａは、情報種別決定データ記憶部１２ａから発信者情報種別決定データを受け取り、その発信者情報種別決定データに基づいて、発信者情報蓄積メモリ１２ｂに蓄積されている発信者情報のうち、その発信者情報種別データが示す情報を読み出し、その読み出した情報を発信者情報送信処理部１７ｂに与えるものである。
【００４５】
ここで、発信者情報種別決定データとは、電話機２に対して通知する情報種別パラメータを決定するパラメータ種別である。また、発信者情報種別決定データは、発信者情報から取り出す情報種別に関して優先順位が付されており、優先順位が高いものから情報種別決定部１１ａにより取り出され得る。なお、この優先順位は利用者が設定することができる。
【００４６】
これにより、優先順位が高い発信者情報種別決定データが示す情報を発信者情報から取り出て電話機２に与えることができるから、利用者が望む情報を通知することができる。
【００４７】
また、発信者情報種別決定データが示すパラメータ種別は、各種サービスが提供する情報内容に対応し、例えば、発信元電話番号、発信者名（発信企業名）情報、月日時分情報、発信電話番号費通知理由、契約情報のメッセージ情報、公衆電話情報等である。
【００４８】
一般的に、発信者情報のデータフォーマットは、図３に示すように、マークビット、ＤＬＥ、ＳＯＨ、ヘッダ、ＤＬＥ、ＳＴＸ、情報、ＤＬＥ、ＥＸＴ、ＣＲＣを有し全体として最大１２８バイト構成である。また、情報は、サービス種別、メッセージ内容長、パラメータ（１）〜（ｎ）を有する。さらに、各パラメータは、パラメータ種別、情報内容長、情報内容を有している。
【００４９】
このように、発信者情報が情報種別に応じたパラメータを有しているから、情報種別決定部１１ａは、発信者情報種別決定データが示す情報を発信者情報から取り出すことが可能となる。
【００５０】
さらに、情報種別決定部１１ａは、発信者情報蓄積メモリ１２ｂから取り出した情報のデータサイズを測定し、その取り出した情報が６４バイト以上であるか否かを判定するものである。
【００５１】
つまり、発信者情報蓄積メモリ１２ｂから取り出した情報のデータサイズが６４バイト以上である場合、情報種別決定部１１ａは、発信者情報送信処理部１７ｂに送信処理開始させる起動信号を与え、そのデータサイズを持つ情報を発信者情報として電話機２に通知させる。
【００５２】
また、発信者情報蓄積メモリ１２ｂから取り出した情報のデータサイズが６４バイト未満である場合、情報種別決定部１１ａは、再度、情報種別決定データ記憶部１２ａから次に優先度の高い発信者情報種別決定データを読み出し、その発信者情報種別決定データが示す情報を取り出す。この時に、発信者情報から取り出す情報がない場合は、電話機２に対して、そこまでの情報を通知する。
【００５３】
このように、情報種別決定部１１ａは、優先順位が高い発信者情報種別決定データが示す情報から順に取り出していき、それら取り出した全情報のデータサイズが６４バイト以上に達するまで、発信者情報からの情報の取り出しを行ない、６４バイト以上に達すると、それら全情報を発信者情報として電話機２に通知させる。
【００５４】
発信者情報送信処理部１７ｂは、発信者情報種別決定部１１ａから起動信号を受け取ると、電話機２との所定の接続処理を行ない、発信者情報を電話機２に与えるものである。
【００５５】
また、発信者情報送信処理部１７ｂは、ナンバーディスプレイ着信処理を行なう場合は着信した発信者情報をそのまま電話機２に通知し、キャッチホン・ディスプレイ着信処理を行なう場合は情報種別決定部１１ａが取り出した全情報のうち６４バイトの情報を電話機２に通知するものである。
【００５６】
情報種別決定データ記憶部１２ａは、利用者の操作により、電話機２に通知すべく発信者情報種別決定データを受け取り、発信者情報種別決定データを記憶するものである。また、情報種別決定データ記憶部１２ａは、発信者情報種別決定データを複数個記憶することができ、これら発信者情報種別決定データに対して優先順位の設定を行うことが可能である。また、情報種別決定データ記憶部１２ａは、利用者の操作により、発信者情報種別決定データ及びその優先度の変更・削除を行うことが可能である。
【００５７】
ここで、発信者情報種別決定データの登録は、電話機２からの登録が可能である。例えば、電話機２から通信アダプタ装置１に対して登録要求を行い、所定操作により電話機２から発信者情報種別決定データを通信アダプタ装置１に与えることで、発信者情報種別決定データを登録するようにしてもよい。
【００５８】
発信者情報蓄積メモリ１２ｂは、発信者情報受信処理部１７ａから受け取った発信者情報を蓄積する記憶部である。
【００５９】
（Ａ−２）実施形態の動作
次に、本実施形態の通信アダプタ装置１の動作について説明する。以下では、まず、ＰＳＴＮ回線４から発信者情報が到来した場合の通信アダプタ装置１の動作について説明し、その後、通信アダプタ装置１を介した電話機２とＰＳＴＮ回線４との接続シーケンスについて説明する。
【００６０】
（Ａ−２−１）通信アダプタ装置１の動作
次に、収容する電話機２がＩＰ通話中にＰＳＴＮ回線４から到来した発信者情報を電話機２に通知する通信アダプタ装置１の動作について図２及び図４を参照して説明する。
【００６１】
まず、発信者情報受信処理部１７ａは、定期的又は常時にＰＳＴＮ回線インタフェース部１８を監視し（Ｓ１）、発信者情報（モデム信号）が受信したか否かを確認する（Ｓ２）。なお、発信者情報が受信していない場合には繰り返し監視を続ける。
【００６２】
ＰＳＴＮ回線４から発信者情報が到来すると、発信者情報は、ＰＳＴＮ回線インタフェース部１８を介して、発信者情報受信処理部１７ａに与えられ発信者情報の受信が確認される（Ｓ２）。
【００６３】
発信者情報受信処理部１７ａに発信者情報が与えられると、発信者情報受信処理部１７ａにより、与えられた発信者情報が、発信者情報蓄積メモリ１２ｂに与えられて蓄積される（Ｓ３）。
【００６４】
このとき、情報処理を開始させる起動信号が、発信者情報受信処理部１７ａから情報種別決定部１１ａに通知される。
【００６５】
発信者情報受信処理部１７ａからの起動信号が情報種別決定部１１ａに与えられると、情報種別決定部１１ａにより、電話機２がＩＰ通話中であるか否かが判定される（Ｓ４）。
【００６６】
情報種別決定部１１ａにより電話機２がＩＰ通話中でないと判定された場合、情報種別決定部１１ａは通常のナンバーディスプレイ着信処理を行ない、到来した発信者情報が、情報種別決定部１１ａにより発信者情報蓄積メモリ１２ｂから読み出されて、そのまま発信者情報送信処理部１７ｂから電話機２に通知される（Ｓ４、Ｓ８）。
【００６７】
一方、情報種別決定部１１ａにより電話機２がＩＰ通話中であると判定された場合、情報種別決定部１１ａはキャッチホン・ディスプレイ着信処理を行なう。
【００６８】
電話機２がＩＰ通話中である場合、情報種別決定部１１ａにより、第１優先の発信者情報種別決定データが、情報種別決定データ記憶部１２ａから取り出される（Ｓ５）。
【００６９】
第１優先の発信者情報種別決定データが情報種別決定部１１ａにより取り出されると、情報種別決定部１１ａにより、その取り出された発信者情報種別決定データに基づいて、蓄積されている発信者情報の中から発信者情報種別決定データが示す情報が、発信者情報蓄積メモリ１２ｂから取り出される（Ｓ６）。
【００７０】
このとき、発信者情報蓄積メモリ１２ｂに蓄積されている発信者情報のすべてを取り出すのではなく、発信者情報種別決定データが示す情報のみを取り出す。
【００７１】
発信者情報種別決定データが示す情報が取り出されると、その取り出された情報がある場合（Ｓ７）、一時的にフラッシュメモリ１３に記憶され、情報種別決定部１１ａにより、取り出した情報のデータサイズが６４バイト未満であるか否か測定される（Ｓ８）。
【００７２】
取り出された情報のデータサイズが６４バイト以上である場合、発信者情報送信処理部１７ｂに送信処理を開始させる起動信号が、情報種別決定部１１ａから発信者情報送信処理部１７ｂに与えられる。
【００７３】
起動信号が発信者情報送信処理部１７ｂに与えられると、取り出された第１優先の発信者情報種別決定データが示す情報が、発信者情報送信処理部１７ｂに与えられ、発信者情報として電話機２に通知される（Ｓ９）。なお、電話機２に通知される発信者情報のデータサイズは最大６４バイトである。
【００７４】
これにより、従来では、到来した発信者情報の最初の情報から最大６４バイトの情報が取り出されて電話機２に通知されていたが、本実施形態では、第１優先の発信者情報種別決定データに基づいて電話機２に通知する情報を選択することができる。
【００７５】
一方、取り出された情報のデータサイズが６４バイト未満である場合、Ｓ５に戻り、更に所望情報をより多く電話機２に通知できるように、第２優先の発信者情報種別決定データが、情報種別決定部１１ａにより情報種別決定データ記憶部１２ａから取り出される（Ｓ５）。
【００７６】
情報種別決定部１１ａにより第２優先の発信者情報種別決定データが取り出されると、情報種別決定部１１ａにより、第２優先の発信者情報種別決定データが示す情報が発信者情報から取り出され、その取り出された情報がフラッシュメモリ１３に一時的に記憶される（Ｓ６）。
【００７７】
このときに情報がない場合（Ｓ７）には、そこまで取り出した情報を発信者情報として電話機２に通知される（Ｓ９）
そして、第１優先及び第２優先の発信者情報種別決定データが示す情報は、情報種別決定部１１ａにより、その全体のデータサイズが測定され、全体のデータサイズが６４バイト以上であるか否かが判定される（Ｓ７）。
【００７８】
第１優先及び第２優先の発信者情報種別決定データに対応する情報のデータサイズが６４バイト以上である場合、起動信号が、情報種別決定部１１ａから発信者情報送信処理部１７ｂに与えられ、発信者情報送信処理部１７ｂにより、第１優先及び第２優先の発信者情報種別決定データが示す情報が、発信者情報として電話機２に通知される（Ｓ８）。
【００７９】
なお、第１優先及び第２優先の発信者情報種別決定データが示す情報のデータサイズが６４バイト未満である場合は、再度Ｓ５に戻り、第３優先の発信者情報種別決定データが示す情報が取り出され、上記同様に全情報のデータサイズが測定されて、Ｓ６〜Ｓ８の動作が繰り返しなされる。
【００８０】
これにより、第１優先の発信者情報種別決定データが示す情報のデータサイズが６４バイト未満の場合、次の所望情報を取り出すことができ、優先順位の高い情報から順に電話機２に対してキャチホン・ディスプレイ着信処理で通知することが可能となる。
【００８１】
（Ａ−２−２）通信アダプタ装置１を介した接続シーケンス
次に、本実施形態の通信アダプタ装置１を介した電話機２とＰＳＴＮ回線４との間の接続シーケンスについて、図５を参照して説明する。図５は、ＩＰ通話中の接続シーケンス図である。
【００８２】
ＰＳＴＮ回線４から極性反転（Ｓ１１）及び情報受信端末起動信号（Ｓ１２）が通信アダプタ装置１に与えられると、これに対する一次応答信号が、通信アダプタ装置１からＰＳＴＮ回線４に返信される（Ｓ１３）。
【００８３】
通信アダプタ装置１から一次応答信号がＰＳＴＮ回線４に与えられると、発信者情報がモデム信号としてＰＳＴＮ回線４から通信アダプタ装置１に送信される（Ｓ１４）。
【００８４】
ＰＳＴＮ回線４から発信者情報が通信アダプタ装置１に与えられると、通信アダプタ装置１において、発信者情報が蓄積され、上述した情報受信処理が行なわれる（Ｓ１５）。また、通信アダプタ装置１に発信者情報が受信されると、受信完了信号がＰＳＴＮ回線４に返信される（Ｓ１６）。
【００８５】
このとき、通信アダプタ装置１において、電話機２の通話状態がＩＰ通話中であると判定され、上述したようにキャッチホン・ディスプレイ着信処理が行なわれる。
【００８６】
通信アダプタ装置１からの受信完了信号がＰＳＴＮ回線４に与えられると、ＰＳＴＮ回線４から呼出信号が通信アダプタ装置１に与えられ（Ｓ１７）、通信アダプタ装置１から通話中着信表示音（ＩＩＴ）が電話機２に与えられる（Ｓ１８）。
【００８７】
また、上述した情報受信処理が通信アダプタ装置１においてなされると、通信アダプタ装置１から発信者情報が電話機２に通知される（Ｓ１９）。
【００８８】
通信アダプタ装置１から電話機２に対して発信者情報が与えられ、通話者がＰＴＮ回線４との接続を切り替えようとする場合、電話機２においてフッキングがなされて（Ｓ２０）、通信アダプタ装置１から応答信号がＰＳＴＮ回線４に返信されて（Ｓ２１）、ＰＳＴＮ回線４と電話機２との間で極性が復極し（Ｓ２７）、電話機２とＰＳＴＮ回線４との間の通話が実現できる（Ｓ２２）。
【００８９】
（Ａ−２−３）通信アダプタ装置１を介した接続シーケンス
次に、ＩＰ通話前、本実施形態の通信アダプタ装置１を介した電話機２とＰＳＴＮ回線４との間の接続シーケンスについて、図６を参照して説明する。
【００９０】
ＰＳＴＮ回線４から極性反転（Ｓ１１）及び情報受信端末起動信号（Ｓ１２）が通信アダプタ装置１に与えられると、これに対する一次応答信号が、通信アダプタ装置１からＰＳＴＮ回線４に返信される（Ｓ１３）。
【００９１】
通信アダプタ装置１から一次応答信号がＰＳＴＮ回線４に与えられると、発信者情報がモデム信号としてＰＳＴＮ回線４から通信アダプタ装置１に送信される（Ｓ１４）。
【００９２】
ＰＳＴＮ回線４から発信者情報が通信アダプタ装置１に与えられると、通信アダプタ装置１において、発信者情報が蓄積され、上述した情報受信処理が行なわれる（Ｓ１５）。また、通信アダプタ装置１に発信者情報が受信されると、受信完了信号がＰＳＴＮ回線４に返信される（Ｓ１６）。
【００９３】
このとき、通信アダプタ装置１において、電話機１の通話状態がＩＰ通話中でないと判定されて、ナンバーディスプレイ着信処理が行なわれる。
【００９４】
また、通信アダプタ装置１に発信者情報が受信されると、そのまま発信者情報がモデム信号として電話機２に与えられ（Ｓ２３）、電話機２から発信者情報を受信した旨の受信完了信号が通信アダプタ装置１を介してＰＳＴＮ回線４に返信される（Ｓ２４）。
【００９５】
受信完了信号がＰＳＴＮ回線４に与えられると、ＰＳＴＮ回線４から呼出信号が通信アダプタ装置１を介して電話機２に与えられ（Ｓ２５）、電話機２からの２次応答信号がＰＳＴＮ回線４に返信され（Ｓ２６）、ＰＳＴＮ回線４と電話機２との間で極性が復極し（Ｓ２７）、電話機２とＰＳＴＮ回線４との間の通話が実現できる（Ｓ２２）。
【００９６】
（Ａ−３）本実施形態の効果
以上、本実施形態によれば、電話機２のＩＰ通話中に到来した発信者情報のうち、予め設定された所望情報種別に応じた情報を抽出して優先度の高い情報を、電話機２に通知することができるので、利用者が取得したい情報の欠落を少なくすることができる。
【００９７】
また、本実施形態によれば、所望情報種別を複数登録することができるので、キャッチホン・ディスプレイ着信処理に制限されている通知可能情報量の範囲内で、より多くの所望情報を電話機２に通知することができる。
【００９８】
（Ｂ）他の実施形態
（Ｂ−１）上述した実施形態では、ナンバーディスプレイサービスに適用した場合について説明したが、Ｌモード（登録商標）サービスやモデムダイヤルインサービスなどその他ＰＳＴＮ回線４からの情報通知サービスに広く適用可能である。
【００９９】
（Ｂ−２）上述した実施形態では、電話機２を収容する通信アダプタ装置に適用した場合について説明したが、複数の異なる通信網回線に接続可能な通信装置に広く適用可能である。
【０１００】
（Ｂ−３）上述した実施形態において、電話機２に情報着信があった後、電話機２はフッキングなどによりＰＳＴＮ回線４との通話を実現することとして説明したが、ＰＳＴＮ回線４との通話実現方法は、これに限らず広く適用可能である。
【０１０１】
例えば、図７は、通信アダプタ装置１の呼制御機能を説明する図である。図８に示すように、制御部１１は、到来した発信者情報から発信元電話番号と発信者名情報とを対応付けて発信元情報管理テーブル１２ｃに記憶させる。
【０１０２】
その後、電話機２の表示部に表示されている発信者名を選択する事で、その発信者名情報が通信アダプタ装置１に与えられ、通信アダプタ装置１において、その発信者名情報に対応する発信者電話番号に対して呼制御を行う呼制御手段を備えるようにしてもよい。
【０１０３】
（Ｂ−４）図８に示すように、特定の発信電話番号について、発信者情報から取り出す情報種別の優先度を利用者の操作により決定するようにしてもよい。
【０１０４】
例えば、図８では、発信元電話番号Ａが到来した場合、電話機２に通知する情報種別の第１優先度をａとし、第２優先度をｂとして設定し、発信元電話番号Ｂが到来した場合、電話機２に通知する情報種別の第１優先度をｂとし、第２優先度をｃとして設定するようにしてもよい。
【０１０５】
これにより、例えば、発信者情報が通信アダプタ装置１に与えられると、情報種別決定部１１ａが、例えば、発信者情報に基づいて発信元電話番号Ａと判断した場合、発信者情報の中から発信者情報種別決定データａに基づく情報が第１優先として抽出され電話機２に通知することができる。
【０１０６】
また例えば、図８に示すようなデフォルト処理を行なえるように設定してもよい。このデフォルト処理は、到来した発信者情報が登録していない発信元電話番号から着信した場合に行なう処理である。つまり、登録していない発信元電話番号から発信者情報が着信してきた場合に、第１優先の発信者情報種別決定データの情報が抽出され電話機２に通知することができる。
【０１０７】
（Ｂ−５）上述した実施形態において、電話機２に通知する発信者情報の取り出し動作は、予め登録された発信者情報種別決定データに基づいて着信した発信者情報から取り出すことができれば、広く適用される。
【０１０８】
例えば、図４では、情報種別決定部１１ａは、着信した発信者情報から１個の発信者情報種別決定データが示す情報を取り出す毎に、その取り出した情報のデータサイズを測定する場合について説明したが、これに限らず、複数個の発信者情報種別決定データが示す複数の情報を優先順位に従って、着信した発信者情報から取り出し、優先順位に従って並べ替えをし、その並べ替えをした最初の情報から順に、発信者情報送信処理部１７ｂが電話機２に通知するようにしてもよい。
【図面の簡単な説明】
【０１０９】
【図１】本実施形態の通信アダプタ装置の構成を示すハードウェア構成図である。
【図２】本実施形態の通信アダプタ装置の機能を説明する機能ブロック図である。
【図３】ナンバーディスプレイサービスの発信者情報のデータフォーマットを説明する説明図である。
【図４】本実施形態の通信アダプタ装置の動作を示すフローチャートである。
【図５】本実施形態の通信アダプタ装置を介した接続シーケンス図である。
【図６】本実施形態の通信アダプタ装置を介した接続シーケンス図である。
【図７】通信アダプタ装置１の呼制御機能を説明する機能ブロック図である。
【図８】発信者情報種別決定データの登録の変形例を説明する説明図である。
【符号の説明】
【０１１０】
１…通信アダプタ装置、２…電話機、３…ＩＰ通信網回線、４…ＰＳＴＮ回線、１１…制御部、１１ａ…情報種別決定部、１２…メモリ、１３…フラッシュメモリ、１７…ＤＳＰ、１２ａ…情報種別決定データ記憶部、１２ｂ…発信者情報蓄積メモリ。
【図１】
2005303760.tif 000003
【図２】
2005303760.tif 000004
【図３】
2005303760.tif 000005
【図４】
2005303760.tif 000006
【図５】
2005303760.tif 000007
【図６】
2005303760.tif 000008
【図７】
2005303760.tif 000009
【図８】
2005303760.tif 000010